(57)【要約】  カプセル殻を生成するのに有用な水性組成物が、ａ）（ｉ）式−Ｃ（Ｏ）−Ｒ−ＣＯＯＡの基または（ｉｉ）一価の脂肪族アシル基と式−Ｃ（Ｏ）−Ｒ−ＣＯＯＡの基との組み合わせを含み、式中、Ｒが、二価の脂肪族または芳香族炭化水素基であり、Ａが、水素または陽イオンである、少なくとも１つの分散されたエステル化セルロースエーテルと、ｂ）この分散されたエステル化セルロースエーテルの重量に基づいて、０．０５〜２０パーセントの脂肪酸の少なくとも１つの塩と、を含み、この分散されたエステル化セルロースエーテル粒子の中央粒子サイズｄ５０が、最大７マイクロメートルであり、かかる中央粒子サイズ（ｄ５０）が、これらの粒子の５０質量パーセントがより小さな等価直径を有し、５０質量パーセントがより大きな等価直径を有するサイズである。【選択図】図１
2017517592.tif 000002
【特許請求の範囲】
【請求項１】
ａ）（ｉ）式−Ｃ（Ｏ）−Ｒ−ＣＯＯＡの基または（ｉｉ）一価の脂肪族アシル基と式−Ｃ（Ｏ）−Ｒ−ＣＯＯＡの基との組み合わせを含み、式中、Ｒが、二価の脂肪族または芳香族炭化水素基であり、Ａが、水素または陽イオンである、少なくとも１つの分散されたエステル化セルロースエーテルと、
ｂ）前記分散されたエステル化セルロースエーテルの重量に基づいて、０．０５〜２０パーセントの脂肪酸の少なくとも１つの塩と、を含む、水性組成物であって、
前記分散されたエステル化セルロースエーテル粒子の中央粒子サイズｄ５０が、最大７マイクロメートルであり、かかる中央粒子サイズ（ｄ５０）が、前記粒子の５０質量パーセントがより小さな等価直径を有し、５０質量パーセントがより大きな等価直径を有するサイズである、水性組成物。
【請求項２】
前記分散されたエステル化セルロースエーテルの重量に基づいて、０．５〜１０パーセントの飽和または不飽和脂肪酸のアンモニウム塩、アルカリ金属塩、またはアルカリ土類金属塩を含む、請求項１に記載の水性組成物。
【請求項３】
前記脂肪酸の塩が、ステアリン酸またはオレイン酸のアンモニウム塩、アルカリ金属塩、またはアルカリ土類金属塩である、請求項１または請求項２に記載の水性組成物。
【請求項４】
前記水性組成物の総重量に基づいて、少なくとも１５重量パーセントの前記少なくとも１つの分散されたエステル化セルロースエーテルを含む、請求項１〜３のいずれか一項に記載の水性組成物。
【請求項５】
ｉ）クエン酸エステル、ｉｉ）ジカルボン酸のエステル、ならびにｉｉｉ）アセトグリセリドまたはポリ（エチレンオキシド）及びポリ（プロピレンオキシド）のブロックを含むブロックコポリマーから選択される２つまたは３つの可塑剤を含むが、２つまたは３つの可塑剤が異なる群ｉ）〜ｉｉｉ）から選択されることを条件とする、請求項１〜４のいずれか一項に記載の水性組成物。
【請求項６】
前記エステル化セルロースエーテル中の前記一価の脂肪族アシル基が、アセチル基、プロピオニル基、またはブチリル基であり、前記式−Ｃ（Ｏ）−Ｒ−ＣＯＯＡの前記基が、
−Ｃ（Ｏ）−ＣＨ２−ＣＨ２−ＣＯＯＡ、−Ｃ（Ｏ）−ＣＨ＝ＣＨ−ＣＯＯＡ、または−Ｃ（Ｏ）−Ｃ６Ｈ４−ＣＯＯＡ基である、請求項１〜５のいずれか一項に記載の水性組成物。
【請求項７】
前記エステル化セルロースエーテルが、ヒドロキシプロピルメチルセルロースアセテートサクシネートである、請求項１〜６のいずれか一項に記載の水性組成物。
【請求項８】
前記中央粒子サイズｄ５０が、最大５マイクロメートルであり、かかる中央粒子サイズ（ｄ５０）が、前記粒子の５０質量パーセントがより小さな等価直径を有し、５０質量パーセントがより大きな等価直径を有するサイズである、請求項１〜７のいずれか一項に記載の水性組成物。
【請求項９】
前記分散されたエステル化セルロースエーテル粒子のｄ９０が、最大１２マイクロメートルであり、ｄ９０が、前記粒子の９０質量パーセントがより小さな等価直径を有し、他の１０質量パーセントがより大きな等価直径を有する直径である、請求項１〜８のいずれか一項に記載の水性組成物。
【請求項１０】
ａ）最大３マイクロメートルの中央粒子サイズｄ５０及び最大９マイクロメートルのｄ９０を有する、前記水性組成物の総重量に基づいて、少なくとも２０重量パーセントの分散されたヒドロキシプロピルメチルセルロースアセテートサクシネート粒子と、
ｂ）前記分散されたエステル化セルロースエーテルの重量に基づいて、１．０〜５．０パーセントのステアリン酸またはオレイン酸のアルカリ金属塩またはアルカリ土類金属塩と、を含む、請求項１〜９のいずれか一項に記載の水性組成物。
【請求項１１】
（ｉ）前記式−Ｃ（Ｏ）−Ｒ−ＣＯＯＡの基または（ｉｉ）一価の脂肪族アシル基と前記式−Ｃ（Ｏ）−Ｒ−ＣＯＯＡの基との組み合わせを含み、式中、Ｒが、二価の脂肪族または芳香族炭化水素基であり、Ａが、水素または陽イオンである、少なくとも１つのエステル化セルロースエーテルを、水性希釈剤の存在下で磨砕するステップと、
前記エステル化セルロースエーテルを磨砕する前、磨砕している間、または磨砕した後に、０．０５〜２０パーセントの脂肪酸の少なくとも１つの塩及び任意に１つ以上の補助剤を、前記エステル化セルロースエーテルと配合するステップであって、前記脂肪酸塩の割合が、前記エステル化セルロースエーテルの重量に基づく、配合するステップと、を含む、請求項１〜１０のいずれか一項に記載の水性組成物を生成するための方法。
【請求項１２】
（ｉ）前記式−Ｃ（Ｏ）−Ｒ−ＣＯＯＡの基または（ｉｉ）一価の脂肪族アシル基と前記式−Ｃ（Ｏ）−Ｒ−ＣＯＯＡの基との組み合わせを含み、式中、Ｒが、二価の脂肪族または芳香族炭化水素基であり、Ａが、水素または陽イオンである、ａ）エステル化セルロースエーテルを溶融するステップと、
ｂ）水性希釈剤中で前記溶融されたエステル化セルロースエーテルを乳化するステップと、
前記水性希釈剤中で前記溶融されたエステル化セルロースエーテルを乳化する前記ステップの前、ステップの間、またはステップの後に、前記分散されたエステル化セルロースエーテルの重量に基づいて、ｃ）０．０５〜２０パーセントの脂肪酸の塩、及び任意にｄ）１つ以上の補助剤を添加するステップと、
前記乳剤を冷却して、水性分散体を形成するステップと、を含む、請求項１〜１０のいずれか一項に記載の水性組成物を生成するための方法。
【請求項１３】
請求項１〜１０のいずれか一項に記載の水性組成物から調製されたコーティングでコーティングされている、剤形。
【請求項１４】
請求項１〜１０のいずれか一項に記載の水性組成物から作製された、カプセル殻。
【請求項１５】
請求項１〜１０のいずれか一項に記載の水性組成物を提供するステップと、
成型ピンを前記水性組成物より高い温度に予熱するステップと、
前記予熱された成型ピンを前記水性組成物中に浸漬するステップと、
前記ピンを前記水性組成物から引き抜くことにより、前記成型ピン上で膜を形成するステップと、
前記膜を前記成型ピン上で乾燥させるステップと、を含む、カプセル殻を生成するための方法。
【発明の詳細な説明】
【技術分野】
【０００１】
本発明は、分散されたエステル化セルロースエーテルを含む水性組成物、この組成物を生成するための方法、ならびにこの水性組成物から作製されたコーティングされた剤形及びカプセル殻に関する。
【背景技術】
【０００２】
セルロースエーテルのエステル、それらの使用、及びそれらを調製するための方法は、当技術分野で一般的に既知である。セルロースエーテル−エステルの既知の生成方法には、セルロースエーテルの脂肪族モノカルボン酸無水物もしくは脂肪族ジカルボン酸無水物またはそれらの組み合わせとの反応、例えば米国特許第４，２２６，９８１号及び同第４，３６５，０６０号に記載されているものが含まれる。
【０００３】
メチルセルロースフタレート（ＭＣＰ）、ヒドロキシプロピルメチルセルロースフタレート（ＨＰＭＣＰ）、メチルセルロースサクシネート（ＭＣＳ）、またはヒドロキシプロピルメチルセルロースアセテートサクシネート（ＨＰＭＣＡＳ）などの様々な既知のエステル化セルロースエーテルが、薬学的剤形のための腸溶性ポリマーとして有用である。エステル化セルロースエーテルは、錠剤、微小粒子、またはカプセルなどの剤形のコーティングのために使用される。腸溶性ポリマーは、酸性環境において不活性化もしくは変質から薬を保護するか、または薬による胃の炎症を防ぐが、腸管中では溶解されて、それらの中に含有された薬を放出する。米国特許第４，３６５，０６０号は、優れた腸溶性挙動を有すると言われる腸溶性カプセルを開示する。
【０００４】
腸溶性コーティングまたは腸溶性カプセルは、エステル化セルロースエーテルの有機溶液または水溶液から調製され得る。欧州特許出願第ＥＰ０  ６６２  ３２３号及び同第ＥＰ０  ６７７  ３２２号は、固形薬学的調剤のコーティングのための水性乳剤の調製方法を開示し、この中では、セルロースポリマーが、水と混和性である有機溶剤中かまたは有機溶剤と水との混合物中に溶解されて、１０重量％以下のポリマー濃度を有するポリマー溶液が得られ、この溶液が、溶液を水中に分散するように（追加の）水と混合され、次に有機溶剤が取り除かれる。公開された日本特許出願第ＪＰ８１０９１２４−Ａ号は、陰イオン界面活性剤の添加及び噴霧乾燥による、かかる乳剤からのコーティング粉末の生成を開示する。しかし、有機溶剤はしばしば、薬学的または栄養的使用にとって望ましくない。一方で、エステル化セルロースエーテルは、限られた水溶性を有するだけである。欧州特許出願第ＥＰ０  ６４８  ４８７号は、５〜１５重量％のＨＰＭＣＡＳまたはＨＰＭＣＰなどの腸溶性コーティング基材を含む水性分散体を開示する。水性分散体は、ＨＰＭＣＡＳまたはＨＰＭＣＰの重量に基づいて、１５〜４０重量％のトリエチルシトラートもしくはトリアセチンなどの可塑剤、及び０．１〜１０重量％のナトリウムアルキルサルフェートなどの陰イオン界面活性剤、またはナトリウムオレエートもしくはカリウムソルベートなどの脂肪酸のナトリウム塩もしくはカリウム塩をさらに含む。しかし、このような大量の可塑剤の使用の必要性は、著しく不利益である。
【０００５】
公開された日本特許出願第ＪＰ７０７０２０３Ａ号は、ヒドロキシカルボン酸の種類のセルロース誘導体が、水中に拡散され、７ミクロン未満、特に５ミクロン未満の平均粒子サイズを有するセルロース誘導体を生成するための特定のデザインを有する粉砕機により粉砕される方法を開示する。
【０００６】
国際特許出願第ＷＯ２０１３／１６４１２２号は、５〜５０重量％の幅広い官能ポリマーを含むカプセル殻の製造のための水性組成物を開示する。大半の実施例において、カプセルは、２３重量％の非塩化セルロースアセテートフタレート（ＣＡＰ）及び７重量％のポロキサマーを含み、少量のＨＰＭＣＡＳ懸濁液と任意に配合される３０重量％の水性分散体であるアクアコートＣＰＤ３０分散体から生成される。しばしば、均一な膜が取得され得る。１４％の固形物を含むＨＰＭＣＡＳ分散体も開示される。２０％のトリエチルシトラートが膜形成助剤として使用されるが、ピンが５０℃に加熱され、この分散体中に浸漬されると、ＨＰＭＣＡＳポリマーは凝集するが、膜は急速に崩壊し、流れ落ちる。水性分散体中で１４％を超えるＨＰＭＣＡＳの含有量は、膜及びカプセルの調製の効率性を高める上で望ましいであろう。残念ながら、水性分散体中の増加されたＨＰＭＣＡＳ固形物の含有量は、室温、すなわち２０℃で増加された粘度の不利益を有する。しかし、約２０℃で十分に低い粘度は、非常に望ましい。分散体は、その取り扱いを容易にするために、２０℃で良好な流動性を有するべきである。２０℃未満に分散体を冷却することは、複雑性を追加し、エネルギーコストを増加させるため望ましくない。
【０００７】
ＨＰＭＣＡＳ粒子は、高温の水性分散体中で粘着質になり、集塊する。これは、水性分散体が高せん断にかけられないとき、例えば水性分散体が攪拌されることなく、またはわずかに緩和な攪拌下で、膜を形成するために加熱されるときに望ましい。しかし、ＨＰＭＣＡＳ粒子の粘着質及び集塊作用は、ＨＰＭＣＡＳ粒子が高せん断にかけられるとき、例えばＨＰＭＣＡＳ粒子がＨＰＭＣＡＳ分散体の調製中、３０℃を超える温度で他の材料と混合されるときには望ましくない。
【０００８】
したがって、水性組成物の良好な流動性を可能にするために、２０℃の温度で十分に低い粘度を有する分散されたエステル化セルロースエーテルを含む水性組成物を提供することが、本発明の目的である。水性組成物が、少なくとも１５重量％のエステル化セルロースエーテル、またはさらに少なくとも２０重量％のエステル化セルロースエーテル、または最適化された条件下でさらに少なくとも２５重量％のエステル化セルロースエーテルを含むときでさえ、２０℃でこのように十分に低い粘度が達成されることが、本発明の好ましい目的である。粒子が高せん断にかけられるとき、例えばエステル化セルロースエーテル粒子を含む水性組成物の調製中、高せん断下での水性組成物の調製が３０℃を超える温度で行われるときでさえ、エステル化セルロースエーテル粒子の粘着質または集塊作用を最小限に抑えることが、別の本発明の好ましい目的である。
【発明の概要】
【０００９】
本発明の一態様は、
ａ）（ｉ）式Ｃ（Ｏ）−Ｒ−ＣＯＯＡの基または（ｉｉ）一価の脂肪族アシル基と式−Ｃ（Ｏ）−Ｒ−ＣＯＯＡの基との組み合わせを含み、式中、Ｒが、二価の脂肪族または芳香族炭化水素基であり、Ａが、水素または陽イオンである、少なくとも１つの分散されたエステル化セルロースエーテルと、
ｂ）分散されたエステル化セルロースエーテルの重量に基づいて、０．０５〜２０パーセントの脂肪酸の少なくとも１つの塩と、を含む、水性組成物であり、
分散されたエステル化セルロースエーテル粒子の中央粒子サイズｄ５０は、最大７マイクロメートルであり、かかる中央粒子サイズ（ｄ５０）は、これらの粒子の５０質量パーセントがより小さな等価直径を有し、５０質量パーセントがより大きな等価直径を有するサイズである。
【００１０】
本発明の別の態様は、上述される水性組成物を生成するための方法であり、本方法は、
（ｉ）式−Ｃ（Ｏ）−Ｒ−ＣＯＯＡの基または（ｉｉ）一価の脂肪族アシル基と式−Ｃ（Ｏ）−Ｒ−ＣＯＯＡの基との組み合わせを含み、式中、Ｒが、二価の脂肪族または芳香族炭化水素基であり、Ａが、水素または陽イオンである、少なくとも１つのエステル化セルロースエーテルを、水性希釈剤の存在下で磨砕するステップと、
エステル化セルロースエーテルを磨砕する前、磨砕している間、または磨砕した後に、０．０５〜２０パーセントの脂肪酸の少なくとも１つの塩及び任意に１つ以上の補助剤を、エステル化セルロースエーテルと配合するステップであって、脂肪酸塩の割合が、エステル化セルロースエーテルの重量に基づく、配合するステップと、を含む。
【００１１】
本発明のまた別の態様は、上述される水性組成物を生成するための方法であり、本方法は、
（ｉ）式−Ｃ（Ｏ）−Ｒ−ＣＯＯＡの基または（ｉｉ）一価の脂肪族アシル基と式−Ｃ（Ｏ）−Ｒ−ＣＯＯＡの基との組み合わせを含み、式中、Ｒが、二価の脂肪族または芳香族炭化水素基であり、Ａが、水素または陽イオンである、ａ）エステル化セルロースエーテルを溶融するステップと、
ｂ）水性希釈剤中で溶融されたエステル化セルロースエーテルを乳化するステップと、
水性希釈剤中で溶融されたエステル化セルロースエーテルを乳化するステップの前、ステップの間、またはステップの後に、分散されたエステル化セルロースエーテルの重量に基づいて、ｃ）０．０５〜２０パーセントの脂肪酸の塩、及び任意にｄ）１つ以上の補助剤を添加するステップと、
乳剤を冷却して、水性分散体を形成するステップと、を含む。
【００１２】
本発明のまた別の態様は、上述される水性組成物から調製されたコーティングでコーティングされる剤形である。
【００１３】
本発明のまた別の態様は、上述される水性組成物から作製されるカプセル殻である。
【００１４】
本発明のまた別の態様は、上述される水性組成物を提供するステップと、成型ピンを水性組成物より高い温度に予熱するステップと、予熱成型ピンを水性組成物中に浸漬するステップと、該ピンを該水性組成物から引き抜くことにより、該成型ピン上で膜を形成するステップと、膜を成型ピン上で乾燥させるステップと、を含む、カプセル殻を生成するための方法である。
【図面の簡単な説明】
【００１５】
【図１】本発明の３つの水性組成物及び比較水性組成物の粘度を、その温度に応じて例示する。
【図２】本発明の水性組成物から流延された膜の写真の表示である。
【図３】本発明の水性組成物から流延された別の膜の写真の表示である。
【発明を実施するための形態】
【００１６】
驚くべきことに、水性組成物が少なくとも１５重量％のエステル化セルロースエーテル、またはさらに少なくとも２０重量％のエステル化セルロースエーテル、または最適化された条件下でさらに少なくとも２５重量％のエステル化セルロースエーテルを含むときでさえ、以下に記載されるような新規の水性組成物は、水性組成物の良好な流動性を可能にするために、２０℃で十分に低い粘度を有することが分かった。
【００１７】
驚くべきことに、以下に記載されるような微粒子サイズの分散されたエステル化セルロースエーテル（複数可）を含む新規の水性組成物は、３０℃超、またはさらに３５℃超、及び概して最大約４５℃の温度においてでさえ調製され得ることが分かった。分散されたエステル化セルロースエーテル（複数可）は、新規の水性組成物の調製中、過度の粘着質または集塊作用を示さない。３０℃を超える温度での低減された粘着質及び集塊作用は、高せん断を必要とする多くの工程段階、例えば新規の水性組成物が水の存在下でエステル化セルロースエーテル粒子を磨砕することにより生成される、それらの生成方法の実施形態において重要である。磨砕するプロセスの間、熱が発生する。非常に粘着質であるエステル化セルロースエーテルは、粉砕装置の詰まり及び動作不能を引き起こし得る。
【００１８】
本発明の組成物中に含まれるエステル化セルロースエーテルは、本発明の文脈中、無水グルコース単位として表される、β−１，４グリコシド結合Ｄ−グルコピラノース繰り返し単位を有するセルロース主鎖を有する。エステル化セルロースエーテルは好ましくは、エステル化アルキルセルロース、ヒドロキシアルキルセルロース、またはヒドロキシアルキルアルキルセルロースである。これは、本発明の組成物中に含まれるエステル化セルロースエーテル中、無水グルコース単位のヒドロキシル基の少なくとも一部が、アルコキシル基、またはヒドロキシアルコキシル基、またはアルコキシル基とヒドロキシアルコキシル基との組み合わせにより置換されることを意味する。ヒドロキシアルコキシル基は典型的に、ヒドロキシメトキシル、ヒドロキシエトキシル、及び／またはヒドロキシプロポキシル基である。ヒドロキシエトキシル及び／またはヒドロキシプロポキシル基が、好ましい。典型的に、１種類または２種類のヒドロキシアルコキシル基がエステル化セルロースエーテル中に存在する。好ましくは、単一の種類のヒドロキシアルコキシル基、より好ましくはヒドロキシプロポキシルが存在する。アルコキシル基は典型的に、メトキシル、エトキシル、及び／またはプロポキシル基である。メトキシル基が、好ましい。上記で定義されたエステル化セルロースエーテルの実例となるものは、エステル化メチルセルロース、エチルセルロース、及びプロピルセルロースなどのエステル化アルキルセルロース；エステル化ヒドロキシエチルセルロース、ヒドロキシプロピルセルロース、及びヒドロキシブチルセルロースなどのエステル化ヒドロキシアルキルセルロース；ならびにエステル化ヒドロキシエチルメチルセルロース、ヒドロキシメチルエチルセルロース、エチルヒドロキシエチルセルロース、ヒドロキシプロピルメチルセルロース、ヒドロキシプロピルエチルセルロース、ヒドロキシブチルメチルセルロース、及びヒドロキシブチルエチルセルロースなどのエステル化ヒドロキシアルキルアルキルセルロース；ならびにエステル化ヒドロキシエチルヒドロキシプロピルメチルセルロースなどの２つ以上のヒドロキシアルキル基を有するものである。最も好ましくは、エステル化セルロースエーテルが、エステル化ヒドロキシプロピルメチルセルロースなどのエステル化ヒドロキシアルキルメチルセルロースである。
【００１９】
無水グルコース単位のヒドロキシル基のヒドロキシアルコキシル基による置換度は、ヒドロキシアルコキシル基のモル置換、ＭＳ（ヒドロキシアルコキシル）により示される。ＭＳ（ヒドロキシアルコキシル）は、エステル化セルロースエーテル中の無水グルコース単位当たりのヒドロキシアルコキシル基のモルの平均数である。ヒドロキシアルキル化反応中、セルロース主鎖に結合したヒドロキシアルコキシル基のヒドロキシル基は、アルキル化剤、例えばメチル化剤、及び／またはヒドロキシアルキル化剤によりさらにエーテル化され得ることが理解されよう。無水グルコース単位の同じ炭素原子位置に対する複数回の後に続くヒドロキシアルキル化エーテル化反応は、側鎖を生み出し、この場合、複数のヒドロキシアルコキシル基がエーテル結合により互いに共有結合し、各側鎖は全体として、セルロース主鎖へのヒドロキシアルコキシル置換基を形成する。
【００２０】
よって、用語「ヒドロキシアルコキシル基」は、ＭＳ（ヒドロキシアルコキシル）の文脈で、上記に概説されるような単一のヒドロキシアルコキシル基または側鎖のいずれかを含む、ヒドロキシアルコキシル置換基の構成単位としてのヒドロキシアルコキシル基を指すと解釈されるべきであり、この場合、２つ以上のヒドロキシアルコキシル単位がエーテル結合により互いに共有結合する。この定義において、ヒドロキシアルコキシル置換基の末端ヒドロキシル基が、さらにアルキル化されるかどうかは重要ではなく、アルキル化されたヒドロキシアルコキシル置換基及びアルキル化されていないヒドロキシアルコキシル置換基の両方が、ＭＳ（ヒドロキシアルコキシル）の決定のために含まれる。エステル化セルロースエーテルは概して、少なくとも０．０５、好ましくは少なくとも０．０８、より好ましくは少なくとも０．１２、及び最も好ましくは少なくとも０．１５のヒドロキシアルコキシル基のモル置換を有する。モル置換度は概して、１．００以下、好ましくは０．９０以下、より好ましくは０．７０以下、及び最も好ましくは０．５０以下である。
【００２１】
メトキシル基などのアルコキシル基により置換されるヒドロキシル基の無水グルコース単位当たりの平均数は、アルコキシル基の置換度、ＤＳ（アルコキシル）として表される。ＤＳの上述される定義において、用語「アルコキシル基により置換されるヒドロキシル基」は、本発明において、セルロース主鎖の炭素原子に直接的に結合したアルキル化されたヒドロキシル基だけでなく、セルロース主鎖に結合したヒドロキシアルコキシル置換基のアルキル化されたヒドロキシル基も含むと解釈されるべきである。エステル化セルロースエーテルは、好ましくは少なくとも１．０、より好ましくは少なくとも１．１、さらにより好ましくは少なくとも１．２、最も好ましくは少なくとも１．４、及び特に少なくとも１．６のＤＳ（アルコキシル）を有する。ＤＳ（アルコキシル）は、好ましくは２．５以下、より好ましくは２．４以下、さらにより好ましくは２．２以下、及び最も２．０５以下である。
【００２２】
最も好ましくは、エステル化セルロースエーテルは、ＤＳ（アルコキシル）に関して上記で示される範囲内でＤＳ（メトキシル）を、及びＭＳ（ヒドロキシアルコキシル）に関して上記で示される範囲内でＭＳ（ヒドロキシプロポキシル）を有するエステル化ヒドロキシプロピルメチルセルロースである。
【００２３】
本発明で利用されるエステル化セルロースエーテルは、（ｉ）式−Ｃ（Ｏ）−Ｒ−ＣＯＯＡの基または（ｉｉ）一価の脂肪族アシル基と式−Ｃ（Ｏ）−Ｒ−ＣＯＯＡの基との組み合わせを有し、式中、Ｒは、二価の脂肪族または芳香族炭化水素基であり、Ａは、水素または陽イオンである。陽イオンは、好ましくはＮＨ４＋などのアンモニウム陽イオン、またはナトリウムもしくはカリウムイオン、より好ましくはナトリウムイオンなどのアルカリ金属イオンである。最も好ましくは、Ａは、水素である。
【００２４】
一価の脂肪族アシル基は好ましくは、アセチル、プロピオニル、及びｎ−ブチリルまたはｉ−ブチリルなどのブチリルからなる群から選択される。
【００２５】
式−Ｃ（Ｏ）−Ｒ−ＣＯＯＡの好ましい基は、
−Ｃ（Ｏ）−ＣＨ２−ＣＨ２−ＣＯＯＡ、例えば−Ｃ（Ｏ）−ＣＨ２−ＣＨ２−ＣＯＯＨもしくは−Ｃ（Ｏ）−ＣＨ２−ＣＨ２−ＣＯＯ−Ｎａ＋、
−Ｃ（Ｏ）−ＣＨ＝ＣＨ−ＣＯＯＡ、例えば−Ｃ（Ｏ）−ＣＨ＝ＣＨ−ＣＯＯＨもしくは−Ｃ（Ｏ）−ＣＨ＝ＣＨ−ＣＯＯ−Ｎａ＋、または
−Ｃ（Ｏ）−Ｃ６Ｈ４−ＣＯＯＡ、例えば−Ｃ（Ｏ）−Ｃ６Ｈ４−ＣＯＯＨもしくは−Ｃ（Ｏ）−Ｃ６Ｈ４−ＣＯＯ−Ｎａ＋である。
【００２６】
式−Ｃ（Ｏ）−Ｃ６Ｈ４−ＣＯＯＡの基において、カルボニル基及びカルボキシル基は好ましくは、オルト位に配置される。
【００２７】
好ましいエステル化セルロースエーテルは、
ｉ）ＨＰＭＣＸＹであり、式中、ＨＰＭＣはヒドロキシプロピルメチルセルロースであり、ＸはＡ（アセテート）であるか、もしくはＸはＢ（ブチラート）であるか、もしくはＸはＰｒ（プロピオナート）であり、ＹはＳ（サクシネート）であるか、もしくはＹはＰ（フタレート）であるか、もしくはＹはＭ（マレアート）であり、例えばヒドロキシプロピルメチルセルロースアセテートフタレート（ＨＰＭＣＡＰ）、ヒドロキシプロピルメチルセルロースアセテートマレアート（ＨＰＭＣＡＭ）、もしくはヒドロキシプロピルメチルセルロースアセテートサクシネート（ＨＰＭＣＡＳ）であるか、または
ｉｉ）ヒドロキシプロピルメチルセルロースフタレート（ＨＰＭＣＰ）、ヒドロキシプロピルセルロースアセテートサクシネート（ＨＰＣＡＳ）、ヒドロキシブチルメチルセルロースプロピオナートサクシネート（ＨＢＭＣＰｒＳ）、ヒドロキシエチルヒドロキシプロピルセルロースプロピオナートサクシネート（ＨＥＨＰＣＰｒＳ）、及びメチルセルロースアセテートサクシネート（ＭＣＡＳ）である。
【００２８】
ヒドロキシプロピルメチルセルロースアセテートサクシネート（ＨＰＭＣＡＳ）が、最も好ましいエステル化セルロースエーテルである。
【００２９】
エステル化セルロースエーテルは概して、１．７５以下、好ましくは１．５０以下、より好ましくは１．２５以下、及び最も好ましくは１．００以下またはさらに０．６５以下の、アセチル基、プロピオニル基、またはブチリル基などの一価の脂肪族アシル基の置換度を有する。一価の脂肪族アシル基の置換度は、ゼロであり得るが、好ましくはそれは、少なくとも０．０５、より好ましくは少なくとも０．１０、及び最も好ましくは少なくとも０．２０である。
【００３０】
エステル化セルロースエーテルは概して、少なくとも０．０５、好ましくは少なくとも０．１０の、スクシノイルなどの式−Ｃ（Ｏ）−Ｒ−ＣＯＯＡの基の置換度を有する。式−Ｃ（Ｏ）−Ｒ−ＣＯＯＡの基の置換度は概して、最大１．６、好ましくは最大１．３０、より好ましくは最大１．００、及び最も好ましくは最大０．７０またはさらに最大０．６０である。
【００３１】
ｉ）一価の脂肪族アシル基の置換度とｉｉ）式−Ｃ（Ｏ）−Ｒ−ＣＯＯＡの基の置換度との合計は概して、少なくとも０．０５、好ましくは少なくとも０．１０、より好ましくは少なくとも０．２０、最も好ましくは少なくとも０．３０、及び特に少なくとも０．４０である。記述された合計は概して、２．０以下、好ましくは１．４以下、より好ましくは１．１５以下、最も好ましくは１．１０以下、及び特に１．００以下である。
【００３２】
アセテート及びサクシネートエステル基の含有量は、“Ｈｙｐｒｏｍｅｌｌｏｓｅ  Ａｃｅｔａｔｅ  Ｓｕｃｃｉｎａｔｅ”，Ｕｎｉｔｅｄ  Ｓｔａｔｅｓ  Ｐｈａｒｍａｃｏｐｅｉａ  ａｎｄ  Ｎａｔｉｏｎａｌ  Ｆｏｒｍｕｌａｒｙ，ＮＦ  ２９，ｐｐ．１５４８−１５５０に従って決定される。報告された値は、揮発物質に対して修正される（上記のＨＰＭＣＡＳ研究書中の「乾燥減量」の節で記載されるように決定される）。この方法は、アナログ方式で使用されて、プロピオニル、ブチリル、フタリル、及び他のエステル基の含有量を決定し得る。
【００３３】
エステル化セルロースエーテル中のエーテル基の含有量は、“Ｈｙｐｒｏｍｅｌｌｏｓｅ”，Ｕｎｉｔｅｄ  Ｓｔａｔｅｓ  Ｐｈａｒｍａｃｏｐｅｉａ  ａｎｄ  Ｎａｔｉｏｎａｌ  Ｆｏｒｍｕｌａｒｙ，ＵＳＰ  ３５，ｐｐ３４６７−３４６９に関して記載されているものと同じ方式で決定される。
【００３４】
上記の分析により取得されたエーテル基及びエステル基の含有量は、以下の式に従って、個別の置換基のＤＳ値及びＭＳ値に変換される。式は、アナログ方式で使用されて、他のセルロースエーテルエステルの置換基のＤＳ及びＭＳを決定し得る。
【００３５】
【数１】
2017517592.tif 000003
【００３６】
慣例により、重量パーセントは、全ての置換基を含むセルロース繰り返し単位の総重量に基づく平均重量割合である。メトキシル基の含有量は、メトキシル基（すなわち、−ＯＣＨ３）の質量に基づいて報告される。ヒドロキシアルコキシル基の含有量は、ヒドロキシプロポキシル（すなわち、−Ｏ−ＣＨ２ＣＨ（ＣＨ３）−ＯＨ）などのヒドロキシアルコキシル基（すなわち、−Ｏ−アルキレン−ＯＨ）の質量に基づいて報告される。一価の脂肪族アシル基の含有量は、−Ｃ（Ｏ）−Ｒ１の質量に基づいて報告され、式中、Ｒ１は、アセチル（−Ｃ（Ｏ）−ＣＨ３）などの一価の脂肪族基である。式−Ｃ（Ｏ）−Ｒ−ＣＯＯＨの基の含有量は、この基の質量、例えばスクシノイル基（すなわち、−Ｃ（Ｏ）−ＣＨ２−ＣＨ２−ＣＯＯＨ）の質量に基づいて報告される。
【００３７】
本発明の組成物中に含まれるエステル化セルロースエーテルは概して、“Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０”に従って、２０℃の０．４３重量％水性ＮａＯＨ中でエステル化セルロースエーテルの２．０重量パーセント溶液として測定される、少なくとも１．２ｍＰａ・ｓ、好ましくは最小１．８ｍＰａ・ｓ、及びより好ましくは最小２．４ｍＰａ・ｓ、ならびに概して２００ｍＰａ・ｓ以下、好ましくは１００ｍＰａ・ｓ以下、より好ましくは５０ｍＰａ・ｓ以下、及び最も好ましくは３０ｍＰａ・ｓ以下の粘度を有する。
【００３８】
本発明の水性組成物は概して、少なくとも５パーセント、好ましくは少なくとも１０パーセント、より好ましくは少なくとも１５パーセント、最も好ましくは少なくとも２０パーセント、及びいくつかの条件下でさらに少なくとも２５パーセントのエステル化セルロースエーテル（複数可）を水性組成物中に分散された状態で含む。本発明の水性組成物は概して、最大４０パーセントまたは最大３５パーセントのエステル化セルロースエーテル（複数可）を水性組成物中に分散された状態で含む。
【００３９】
水性組成物のレオロジープロファイルは、錠剤のような剤形などの基材をコーティングすること及びカプセル殻を生成することに関するその有用性にとって重要である。水性組成物は、カプセル製造またはコーティングプロセス中のプロセス動作を容易にするために、２０℃で合理的に低い粘度を有するべきである。
【００４０】
せん断することなく、またはわずかに低いせん断、例えば１０００秒−１以下のせん断を伴う水性組成物の加熱において、その粘度は、錠剤などのコーティングされた基材の表面か、またはカプセル生成の場合は金属ピンに付着するために増加するはずである。最終的に、エステル化セルロースエーテル粒子は、凝固し、膜を形成するはずである。エステル化セルロースエーテルを含む水性分散体中に界面活性剤を含んで分散体を安定させる、すなわち水性相中に分散されたエステル化セルロースエーテル粒子を維持することは既知である。多様な陰イオン性、陽イオン性、及び非イオン性界面活性剤が、存在する。周知である陰イオン性界面活性剤は、ナトリウムドデシルサルフェートなどのナトリウムアルキルサルフェートである。周知である非イオン性界面活性剤は、Ｐｌｕｒｏｎｉｃ（商標）界面活性剤などのエチレンオキシド−プロピレンオキシドブロックコポリマー、またはＴｗｅｅｎ  ８０の商標としても既知であるＰｏｌｙｓｏｒｂａｔｅ  ８０などのポリオキシエチレンソルビタンモノオレアートである。残念ながら、２０重量％以上などの高濃度の分散されたエステル化セルロースエーテル及びＰｌｕｒｏｎｉｃ（商標）界面活性剤またはポリオキシエチレンソルビタンモノオレアートのような上述される界面活性剤を有する水性組成物は、２０℃で、典型的に２５００ｍＰａ・ｓ超、及びしばしばさらに３０００ｍＰａ・ｓ超の非常に高い粘度を有する。
【００４１】
驚くべきことに、本発明の水性組成物は、高濃度の分散されたエステル化セルロースエーテルを含むときでさえ、水性組成物が脂肪酸の塩、好ましくは飽和または不飽和脂肪酸のアンモニウム塩、アルカリ金属塩、またはアルカリ土類金属塩を含むとき、２０℃で合理的に低い粘度を有することが分かった。見掛け粘度は、本組成物が同量の別の界面活性剤を含むときより相当に低い。本発明の水性組成物の粘度は概して、２０℃で測定される、２０ｍＰａ・ｓ以上、典型的に２５ｍＰａ・ｓ以上である。本発明の水性組成物の見掛け粘度は概して、２０℃で測定される、２０００ｍＰａ・ｓ以下、典型的に１５００ｍＰａ・ｓ以下、及び最適化された条件下で１０００ｍＰａ・ｓ以下またはさらに５００ｍＰａ・ｓ以下である。
【００４２】
驚くべきことに、以下に記載されるような新規の水性組成物は、３０℃超、またはさらに４０℃超、及び概して最大４５℃の温度で、水及び脂肪酸の塩の存在下で、例えばエステル化セルロースエーテル粒子を磨砕することによる高せん断下での新規の水性組成物の調製中、エステル化セルロースエーテル粒子の過度の粘着質または集塊作用を示さないことが分かった。
【００４３】
本発明の分散体の大きな利点は、せん断速度及び温度の範囲による変形に対するその応答である。約１０００秒−１未満、すなわち低せん断で分散体の粘度は増加し、それは、加熱されるとコーティングされた基材の表面に付着する。最終的に、連続相は、コーティング及び乾燥プロセス中、蒸発して、膜を形成する。高せん断において、エステル化セルロースエーテル粒子は、連続相が蒸発しない密閉システムにおいて例えば最大４５℃に加熱されるときに実質的な集塊作用または粘着質を示さない。
【００４４】
したがって、水性組成物は、分散されたエステル化セルロースエーテルの重量に基づいて、０．０５〜２０パーセントの脂肪酸の少なくとも１つの塩をさらに含む。脂肪酸の塩（複数可）の総量は、エステル化セルロースエーテル（複数可）の総重量に基づいて、好ましくは少なくとも０．１パーセント、より好ましくは少なくとも０．３パーセント、さらにより好ましくは少なくとも０．５パーセント、最も好ましくは少なくとも０．８パーセント、及び特に少なくとも１．０パーセントである。脂肪酸の塩（複数可）の総量は、エステル化セルロースエーテル（複数可）の総重量に基づいて、好ましくは最大１５パーセント、より好ましくは最大１２パーセント、さらにより好ましくは最大１０パーセントまたは８パーセント、及び最も好ましくは最大６．０パーセントまたはさらにわずか最大５．０パーセントである。
【００４５】
好ましい脂肪酸塩は、アンモニウム塩、アルカリ金属塩、またはアルカリ土類金属塩である。好ましいアンモニウムイオンは、ＮＨ４＋である。好ましいアルカリ金属イオンは、ナトリウムイオンまたはカリウムイオンである。好ましいアルカリ土類金属イオンは、カルシウムイオンである。脂肪酸は、飽和または不飽和であり得る。典型的な飽和脂肪酸は、カプリル酸、カプリン酸、ラウリン酸、ミリスチン酸、パルミチン酸、ステアリン酸、アラキジン酸、ベヘン酸、リグノセリン酸、及びセロチン酸である。不飽和脂肪酸は、一不飽和脂肪酸、二不飽和脂肪酸、または三不飽和脂肪酸であり得、一不飽和脂肪酸及び二不飽和脂肪酸が、好ましい。典型的な一不飽和脂肪酸は、ミリストレイン酸、パルミトレイン酸、サピエン酸、オレイン酸、エライジン酸、及びバクセン酸である。典型的な二不飽和脂肪酸は、リノール酸及びリノエライジン酸である。ステアリン酸またはオレイン酸のアンモニウム塩、アルカリ金属塩、及びアルカリ土類金属塩、特に上述されるそれらの塩が最も好ましい。
【００４６】
本発明の水性組成物は、水性分散体の形態、典型的に安定分散体の形態である。分散されたエステル化セルロースエーテル粒子の中央粒子サイズｄ５０は、最大７マイクロメートル、典型的に最大５マイクロメートル、さらにより典型的に最大３マイクロメートル、及び最も典型的にさらにわずか最大２マイクロメートルである。分散されたエステル化セルロースエーテル粒子の中央粒子サイズｄ５０は、典型的に０．３マイクロメートル以上、より典型的に０．５マイクロメートル以上、及び最も典型的に０．７マイクロメートル以上である。粒子サイズは、例えばＢｅｃｋｍａｎ  Ｃｏｕｌｔｅｒ，Ｃａｌｉｆｏｒｎｉａから市販されるＢｅｃｋｍａｎ  Ｃｏｕｌｔｅｒレーザ回折粒子サイズ分析器を使用して、レーザ回折粒子サイズ分析により測定される。中央粒子サイズｄ５０は、粒子の５０質量パーセントがより小さな等価直径を有し、５０質量パーセントがより大きな等価直径を有する直径である。典型的にｄ９０は、０．７マイクロメートル以上、より典型的に１．０マイクロメートル以上、及び最も典型的に１．５マイクロメートル以上、ならびに典型的に最大１２マイクロメートル、より典型的に最大１０マイクロメートル、さらにより典型的に最大９マイクロメートル、最も典型的に最大７マイクロメートル、及び多くの場合、さらにわずか最大５マイクロメートルであり、ｄ９０は、粒子の９０質量パーセントがより小さな等価直径を有し、他の１０質量パーセントがより大きな等価直径を有する直径である。等価粒子直径ｄは、供された粒子の容積と同じ容積を有する球の直径である。平均粒子直径は、典型的に０．５マイクロメートル以上、より典型的に０．７マイクロメートル以上、及び最も典型的に０．８マイクロメートル以上、ならびに典型的に最大８マイクロメートル、より典型的に最大６マイクロメートル、さらにより典型的に最大４マイクロメートル、及び最も典型的にさらにわずか最大３マイクロメートルである。
【００４７】
本発明の水性組成物は、水性希釈剤を含む。水性希釈剤は、水であり、任意に少量の有機溶剤と混合される。水性希釈剤は、水及び有機溶剤の総重量に基づいて、好ましくは５０〜１００重量パーセント、より好ましくは６５〜１００重量パーセント、及び最も好ましくは７５〜１００重量パーセントの水、ならびに好ましくは０〜５０重量パーセント、より好ましくは０〜３５重量パーセント、及び最も好ましくは０〜２５重量パーセントの有機溶剤からなる。有用な有機溶剤は、酸素、窒素、または塩素のようなハロゲンなどの１つ以上のヘテロ原子を有する極性有機溶剤である。より好ましい有機溶剤は、アルコール、例えばグリセロールなどの多官能アルコール、または好ましくはメタノール、エタノール、イソプロパノール、もしくはｎ−プロパノールなどの単官能アルコール；テトラヒドロフラン、アセトンなどのケトン、メチルエチルケトン、もしくはメチルイソブチルケトンなどのエーテル；エチルアセテートなどのアセテート；塩化メチレンなどのハロゲン化炭化水素；あるいはアセトニトリルなどのニトリルである。好ましくは、本発明の水性組成物は、水性希釈剤として水だけを含む。水性希釈剤の量は、水性組成物の総重量に基づいて、典型的に少なくとも５０パーセント、より典型的に少なくとも６０パーセント、及び最も典型的に少なくとも６５パーセントである。水性希釈剤の量は、水性組成物の総重量に基づいて、典型的に８５パーセント以下、より典型的に８０パーセント以下、及び最も典型的に７５パーセント以下である。
【００４８】
一実施形態において、ａ）上述されるエステル化セルロースエーテル（複数可）とｂ）脂肪酸の塩（複数可）との合計は、水性希釈剤を除いて、水性組成物の成分の総重量の少なくとも５０パーセント、典型的に少なくとも６０パーセント、及びより典型的に少なくとも８０パーセント、ならびに最大１００パーセント、典型的に最大９９パーセント、より典型的に最大９５パーセント、及び最も典型的に最大９０パーセントに達する。
【００４９】
本発明の水性組成物は、任意の成分、例えば肥料、除草剤、もしくは駆除剤などの活性成分、またはビタミン、薬草、及びミネラル補給剤及び薬などの生物学的活性成分、または１つ以上の可塑剤、膜形成助剤、着色剤、顔料、乳白剤、香味及び呈味向上剤、抗酸化剤、ならびに任意のそれらの組み合わせなどの補助剤をさらに含み得る。任意の添加剤は好ましくは、薬学的に許容される。これらの任意の成分の量は典型的に、水性希釈剤を除いて、水性組成物の成分の総重量の０〜５０パーセントである。典型的に、その量は、水性希釈剤を除いて、水性組成物の成分の総重量の１パーセント以上、より典型的に５パーセント以上、及び最も典型的に１０パーセント以上、ならびに最大４０パーセント、より典型的に最大２０パーセント、及び最も典型的に最大１０パーセントである。
【００５０】
一実施形態において、本発明の水性組成物は、少なくとも１つの膜形成助剤をさらに含む。用語「膜形成助剤」は、自己担持粘着膜の形成を確実にし、カプセルの脆性を回避するために、コーティングまたはカプセル殻、とりわけ硬いカプセル殻の製造において慣習的に使用される１つ以上の可塑剤、及び／または水性組成物をコーティング目的もしくは硬いカプセル殻の浸漬成型製造に最適化させるために慣習的に使用される高温度における１つ以上の粘度増進剤、すなわち天然物質ならびに合成物質を含む。
【００５１】
可塑化特性を示す膜形成助剤には、ジメチル−、ジエチル−、及びジイソプロピル−フタレートなどのフタル酸エステル；トリエチル−、トリブチル−、アセチルトリエチル−、及びアセチルトリブチル−シトラートなどのクエン酸エステル；トリエチル−、トリクレシル、及びトリフェニル−ホスフェートなどのリン酸エステル；アルキルラクテート；グリコールエステル；トリアセチンとしても既知であるグリセロールトリアセテートなどのグリセロール及びグリセロールエステル；スクロースエステル；油及び脂肪酸エステル；ブチルステアレート；ジブチルセバケート；ジブチルタルトレート；ジイソブチルアジペート、トリブチリン；プロピレングリコール；ならびにそれらの混合物が含まれる。
【００５２】
一実施形態において、膜形成助剤は、カルボキシメチルセルロース、ヒドロキシプロピルセルロース、エチルセルロース、メチルセルロース、ヒドロキシプロピルメチルセルロース（ＨＰＭＣ）、例えばＵＳＰ３０−ＮＦ２５に定義されるＨＰＭＣの種類の２９１０、２９０６、及び／または２２０８などのセルロースエーテル；ゼラチン、プルラン、ヒドロキシプロピルデンプンなどの非腸溶性デンプン誘導体；ポリビニルアセテート誘導体（ＰＶＡＰ）；ソルビタンモノエステル；ソルビタンポリオキシエチレンエステル；脂肪酸エステル；グリセロールポリエチレン、グリコールリシノレエート；マクロゴルグリセリド；トリエチルシトラート（ＴＥＣ）；アセチルトリアルキルシトラート；グリセロールトリアセテート（トリアセチン）；滑石；ならびにそれらの混合物である。
【００５３】
一実施形態において、１つ以上の膜形成助剤は、本発明の水性組成物の総重量に基づいて、０〜約１５重量％または０〜１０重量％などの０〜２０重量％の範囲の量で水性組成物中に存在する。
【００５４】
一実施形態において、上述されるような少なくとも１つの分散されたエステル化セルロースエーテル及び脂肪酸の少なくとも１つの塩を含む本発明の水性組成物は、分散されたエステル化セルロースエーテルの重量に基づいて、少なくとも５パーセント、より好ましくは少なくとも１０パーセント、さらにより好ましくは少なくとも１３パーセント、及び最も好ましくは少なくとも１５パーセントの１つ以上の可塑剤をさらに含む。該１つ以上の可塑剤の量は概して、分散されたエステル化セルロースエーテルの重量に基づいて、最大３０パーセント、好ましくは最大２５パーセント、さらにより好ましくは最大２２パーセント、及び最も好ましくは最大２０パーセントである。
【００５５】
好ましい実施形態において、水性組成物は、ｉ）クエン酸エステル（複数可）、ｉｉ）ジカルボン酸（複数可）のエステル（複数可）、ならびにｉｉｉ）アセトグリセリド（複数可）またはポリ（エチレンオキシド）及びポリ（プロピレンオキシド）のブロックを含むブロックコポリマー（複数可）から選択される２つまたは３つの可塑剤、より好ましくは３つの可塑剤を含むが、２つまたは３つの可塑剤、好ましくは３つの可塑剤が異なる群ｉ）〜ｉｉｉ）から選択されることを条件とする。ｉ）クエン酸エステル、ｉｉ）ジカルボン酸のエステル、ならびにｉｉｉ）アセトグリセリドまたはポリ（エチレンオキシド）及びポリ（プロピレンオキシド）のブロックを含むブロックコポリマーの総重量割合は好ましくは、上述される通りである。より好ましい実施形態において、可塑剤の組み合わせは、アセトグリセリドまたはポリ（エチレンオキシド）及びポリ（プロピレンオキシド）のブロックを含むブロックコポリマーの重量部当たり、少なくとも１重量部、好ましくは少なくとも３重量部、より好ましくは少なくとも５重量部、及び最も好ましくは少なくとも６重量部のクエン酸エステル及びジカルボン酸のエステルを各々独立して含む。クエン酸エステル及びジカルボン酸のエステルの量は各々独立して、アセトグリセリドまたはポリ（エチレンオキシド）及びポリ（プロピレンオキシド）のブロックを含むブロックコポリマーの重量部当たり、好ましくは最大３０重量部、より好ましくは最大２０重量部、さらにより好ましくは最大１５重量部、及び最も好ましくは最大９重量部である。
【００５６】
群の中で好ましいクエン酸エステルは、ｉ）トリエチル−、トリブチル−、アセチルトリエチル−、及びアセチルトリブチル−シトラートである。トリエチルシトラートが、最も好ましいクエン酸エステルである。
【００５７】
群の中でジカルボン酸の好ましいエステル、より好ましいジエステルは、ｉｉ）ビス（２−エチルヘキシル）アジペート、ジメチルアジペート、モノメチルアジペート、ジブチルセバケート（ＤＢＳ）、ジブチルマレアート、またはジイソブチルマレアートなどのアジペート、セバケート、またはマレアートである。最も好ましいジカルボン酸のエステルは、ジブチルセバケートである。
【００５８】
群の中で有用な可塑剤は、ｉｉｉ）アセトグリセリドまたはポリ（エチレンオキシド）及びポリ（プロピレンオキシド）のブロックを含むブロックコポリマーである。好ましいアセトグリセリドは、例えばモノ−アセチル化モノグリセリド、ジアセチル化モノグリセリド、またはモノ−アセチル化ジグリセリドである。ジアセチル化モノグリセリドが、好ましい。グリセリドは、グリセロール及び脂肪酸から形成されたエステルである。脂肪酸は、飽和または不飽和であり得る。典型的な飽和脂肪酸は、カプリル酸、カプリン酸、ラウリン酸、ミリスチン酸、パルミチン酸、ステアリン酸、アラキジン酸、ベヘン酸、リグノセリン酸、及びセロチン酸である。不飽和脂肪酸は、一不飽和脂肪酸、二不飽和脂肪酸、または三不飽和脂肪酸であり得、一不飽和脂肪酸及び二不飽和脂肪酸が、好ましい。典型的な一不飽和脂肪酸は、ミリストレイン酸、パルミトレイン酸、サピエン酸、オレイン酸、エライジン酸、及びバクセン酸である。典型的な二不飽和脂肪酸は、リノール酸及びリノエライジン酸である。ポリ（エチレンオキシド）及びポリ（プロピレンオキシド）のブロックを含む好ましいブロックコポリマーは、エチレンオキシド／プロピレンオキシドブロックコポリマー、またはポロキサマーとしても既知であるエチレンオキシド／プロピレンオキシド／エチレンオキシドブロックコポリマーである。ポロキサマーは、ポリオキシエチレン（ポリ（エチレンオキシド））の２つの親水性鎖により隣接されるポリオキシプロピレン（ポリ（プロピレンオキシド））の中央疎水性鎖から構成された非イオン性トリブロックコポリマーである。好ましいポロキサマーは、ゲル浸透クロマトグラフィー（ＧＰＣ）により測定される、５００超、好ましくは９００超、さらにより好ましくは２０００超、及び最も好ましくは３５００超の数平均分子量を有する。数平均分子量は概して、２０，０００未満、好ましくは１５，０００未満、より好ましくは１０，０００未満、及び最も好ましくは６０００未満である。ブロックコポリマー中のポリエチレンオキシドの重量は概して、少なくとも２パーセント、好ましくは少なくとも５パーセント、及びより好ましくは少なくとも７パーセントである。ブロックコポリマー中のポリエチレンオキシドの重量は概して、ブロックコポリマーの総重量に基づいて、最大９０パーセント、好ましくは最大５０パーセント、及びより好ましくは最大２０パーセントである。最も好ましくは、ポロキサマーは、２０℃及び雰囲気圧で液体である。最も好ましいポロキサマーは、Ｐｌｕｒｏｎｉｃ  Ｌ１２１の商標でＢＡＳＦ  Ｃｏｒｐｏｒａｔｉｏｎから市販される。ポリ（エチレンオキシド）及びポリ（プロピレンオキシド）のブロックを含む他の好ましいブロックコポリマーは、Ｐｌｕｒｏｎｉｃ  １７Ｒ２及びＰｌｕｒｏｎｉｃ  Ｌ６２の商標でＢＡＳＦ  Ｃｏｒｐｏｒａｔｉｏｎから市販される。本発明の水性組成物は、様々な方法により調製され得る。１つの方法には、水性希釈剤の存在下及び任意に１つ以上の補助剤の存在下で、エステル化セルロースエーテルを磨砕することが含まれる。別の方法には、エステル化セルロースエーテルを高温度で、任意に１つ以上の補助剤の存在下で溶融または��化させること、及び溶融または軟化された質量を水性希釈剤中で乳化することが含まれる。エステル化セルロースエーテル、脂肪酸の塩、及び水性希釈剤を室温で単に物理的に配合することにより水性組成物を調製することは、安定分散体を調製する上で通常は好適ではない。
【００５９】
一実施形態において、本発明の水性組成物を生成するための方法は、上述される水性希釈剤の存在下で、上述されるような少なくとも１つのエステル化セルロースエーテルを磨砕するステップと、エステル化セルロースエーテルを磨砕する前、磨砕している間、または磨砕した後に、（エステル化セルロースエーテルの重量に基づいて）０．０５〜２０パーセントの脂肪酸の少なくとも１つの塩及び任意に１つ以上の補助剤を、エステル化セルロースエーテルと配合するステップと、を含む。水性希釈剤の存在下で、エステル化セルロースエーテルをさらに上記で示されるような中央粒子サイズｄ５０に磨砕するのに好適な任意の磨砕装置が、使用され得る。好ましい磨砕装置は、メディアミルまたはビーズミルなどの湿潤磨砕ユニットである。磨砕することは、典型的に少なくとも２℃、より典型的に少なくとも１５℃の温度で、及び典型的に最大４０℃、より典型的に最大３５℃の温度で実行される。磨砕することは、十分な時間の間実行されて、分散されたエステル化セルロースエーテル粒子の上述される中央粒子サイズｄ５０を達成する。
【００６０】
別の実施形態において、本発明の水性組成物を生成するための方法は、ａ）上述される少なくとも１つのエステル化セルロースエーテルを溶融し、ｂ）上述される水性希釈剤中で溶融されたエステル化セルロースエーテルを乳化するステップと、水性希釈剤中で溶融されたエステル化セルロースエーテルを乳化するステップの前、ステップの間、またはステップの後に、分散されたエステル化セルロースエーテルの重量に基づいて、ｃ）０．０５〜２０パーセントの上述される脂肪酸の塩、及び任意にｄ）１つ以上の補助剤を添加するステップと、乳剤を冷却して、水性分散体を形成するステップと、を含む。本方法のこの実施形態は好ましくは、押し出し機内で実行される。あるいは、本発明のこの実施形態を実行するために、加圧バッチ式混練機が使用され得る。
【００６１】
好ましい実施形態において、本発明の水性組成物を生成するための方法は、押し出し機の溶融区域内でエステル化セルロースエーテル及び任意に１つ以上の補助剤を溶融して、溶融物を形成するステップと、溶融物を温度及び圧力が制御される押し出し機の乳化区域に搬送するステップと、水性希釈剤、脂肪酸の１つ以上の塩、及び任意に１つ以上の補助剤を、添加された構成成分中で溶融物が乳化される乳化区域中に供給するステップと、生成された乳剤を押し出し機の希釈及び冷却区域に搬送するステップと、水性希釈剤、任意に脂肪酸の１つ以上の塩、及び任意に１つ以上の補助剤を希釈及び冷却区域中に供給して、乳剤を希釈し、それにより水性分散体を形成するステップと、を含む。本方法を行うために使用され得る一般的な工程条件及び機器は、米国特許第５，５３９，０２１号に開示され、この開示は、参照により本明細書に組み込まれる。
【００６２】
あるいは、上述されるエステル化セルロースエーテルを溶融するステップ、溶融されたエステル化セルロースエーテルを水性希釈剤中で乳化するステップ、水性希釈剤中で溶融されたエステル化セルロースエーテルを乳化するステップの前、ステップの間、またはステップの後に、０．０５〜２０パーセントの脂肪酸の塩及び任意に１つ以上の補助剤を添加するステップ、ならびに乳剤を冷却して、水性分散体を形成するステップを実行するために、加圧バッチ式混練機が使用され得る。
【００６３】
上述される溶融−押し出し方法において、溶融するステップは、好ましくは１００〜１５５℃、より好ましくは１２５〜１４５℃の温度で、及び１〜３５バール、より好ましくは１５〜２５バールの圧力で実行される。乳化ステップは、好ましくは１００〜１５５℃、より好ましくは１１５〜１３５℃の温度で、及び４〜３５バール、より好ましくは１５〜２５バールの圧力で実行される。冷却するステップは、好ましくは４５〜１００℃、より好ましくは７０〜９０℃の温度で、及び１〜３５バール、より好ましくは１〜５バールの圧力で実行される。
【００６４】
本発明の水性組成物を生成するための方法におけるエステル化セルロースエーテル、脂肪酸の塩、任意の補助剤、及び水性希釈剤の好適かつ好ましい種類及び量は、上記でさらに記載される。脂肪酸の塩（複数可）及び任意の補助剤は好ましくは、エステル化セルロースエーテルを磨砕する前もしくは磨砕している間か、または水性希釈剤中で溶融されたエステル化セルロースエーテルを乳化するステップの前もしくはステップの間に添加される。脂肪酸の塩及び任意の補助剤は、エステル化セルロースエーテルを磨砕した後または溶融されたエステル化セルロースエーテルを乳化するステップの後にも添加され得るが、好ましくは、本発明の水性組成物を調製するために使用される少なくとも５０パーセントの脂肪酸の塩は、エステル化セルロースエーテルの磨砕もしくは乳化の前または磨砕もしくは乳化の間に添加される。
【００６５】
本発明の別の態様において、本発明の水性組成物は、錠剤、粉粒体、小丸剤、カプレット、舐剤、座薬、ペッサリー、または実装可能な剤形などの剤形のコーティングのために使用されて、コーティングされた組成物を形成し得る。本発明の水性組成物が薬などの活性成分を含む場合、薬物レイヤリングが達成され得、すなわち剤形及びコーティングが、異なる最終使用のための、かつ／または異なる放出動態を有する異なる活性成分を含み得る。コーティングは、既知である方式、例えば既知である浸漬方法または噴霧方法により行われ得る。
【００６６】
本発明のまた別の態様において、本発明の水性組成物は、水性組成物を浸漬ピンと接触させるステップを含む方法において、カプセル殻の製造のために使用され得る。一実施形態によると、カプセル殻を生成するための方法は、上述される本発明の水性組成物を提供するステップと、成型ピンを水性組成物より高い温度に予熱するステップと、予熱された成型ピンを水性組成物中に浸漬するステップと、該ピンを該水性組成物から引き抜くことにより、該成型ピン上で膜を形成するステップと、膜を成型ピン上で乾燥させるステップと、を含む。カプセル殻を調製するために使用され得る一般的な工程条件及び機器は、国際特許出願第ＷＯ２０１３／１６４１２２号及び同第ＷＯ２０１３／１６４１２１号に記載され、これらの開示は、参照により本明細書に組み込まれる。
【００６７】
本発明の水性組成物は、錠剤、カプセル、及び他を含む剤形のコーティング、またはカプセル殻の形成に関して特に有用であり、全てが好ましくは腸溶性使用のため、すなわち腸管中で溶解されて、剤形またはカプセル中に含有された薬物のような活性成分を放出するコーティングまたはカプセル殻である。
【００６８】
本発明のいくつかの実施形態はここで、以下の実施例において詳細に記載される。
【実施例】
【００６９】
別途断りがない限り、全ての部及び割合は、重量による。実施形態において、以下の試験手順を使用する。
【００７０】
ヒドロキシプロピルメチルセルロースアセテートサクシネート（ＨＰＭＣＡＳ）の粘度
“Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０”に記載されるように０．４３重量％水性ＮａＯＨ中のＨＰＭＣＡＳの２．０重量％溶液を調製し、その後ＤＩＮ  ５１５６２−１：１９９９−０１（Ｊａｎｕａｒｙ  １９９９）に従って、２０℃でウベローデ粘度測定を行った。
【００７１】
ＨＰＭＣＡＳのエーテル基及びエステル基の含有量
ＨＰＭＣＡＳ中のエーテル基の含有量を、“Ｈｙｐｒｏｍｅｌｌｏｓｅ”，Ｕｎｉｔｅｄ  Ｓｔａｔｅｓ  Ｐｈａｒｍａｃｏｐｅｉａ  ａｎｄ  Ｎａｔｉｏｎａｌ  Ｆｏｒｍｕｌａｒｙ，ＵＳＰ  ３５，ｐｐ３４６７−３４６９に関して記載されているものと同じ方式で決定した。
【００７２】
アセチル基（−ＣＯ−ＣＨ３）のエステル置換及びスクシノイル基（−ＣＯ−ＣＨ２−ＣＨ２−ＣＯＯＨ）のエステル置換を、“Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０”に従って決定した。エステル置換に関して報告された値を、揮発物質に対して修正した（上記のＨＰＭＣＡＳ研究書中の「乾燥減量」の節で記載されるように決定される）。
【００７３】
水性組成物の見掛け粘度
３℃／分の加熱速度及び４０ｒｐｍの羽根の幾何学的形状の定速度及び０．２７２１分間の測定点を有する１０〜５０℃の温度範囲において、ＣＣ−２７カップの幾何学的形状及び４枚刃の羽根の幾何学的形状ＳＴ２６−４Ｖ−２０を有するＡｎｔｏｎ  Ｐａａｒ  ＭＣＲ  ３０１レオメーターで行われる温度スイープ実験に従って、ＨＰＭＣＡＳを含む水性組成物の見掛け粘度を様々な温度で測定した。この温度スイープ試験の前に、１分間２３００ｒｐｍでＳｐｅｅｄＭｉｘｅｒ（商標）ＤＡＣ  １５０．１ＦＶ（ＦｌａｃｋＴｅｋ  Ｉｎｃ．）で材料を処理して、泡及び気泡を取り除いた。これらの測定のために、２０ｍｌの試料容積を使用した。試料を、粘度測定の前に室温で保管しておいた。
【００７４】
水性組成物の相転移温度の決定
上記の温度スイープ測定から取得された見掛け粘度の取得データを、この分析のために使用した。水性組成物の相転移温度は、ＨＰＭＣＡＳ粒子がゲル化し始め、水性組成物の粘度が著しく上昇し始める温度である。１０〜１５℃の温度における水性組成物の平均粘度を測定された見掛け粘度データから計算して、水性組成物のベースライン粘度を決定した。ベースライン粘度の標準偏差を計算した。標準偏差が２５％超であったとき、これは、１０〜１５℃の温度範囲で一定粘度がなく、相転移温度が１５℃未満であったことを示した。水性組成物の相転移温度を、水性組成物の粘度がそのベースライン粘度の１５０％に達する温度に決定した。
【００７５】
水性分散体中のＨＰＭＣＡＳ粒子サイズ測定
粒子サイズを測定するために、以下に記載されるように生成された１〜２ｇの水性ＨＰＭＣＡＳ分散体を、２０ｍｌの精製水中で希釈した。希釈された分散体中の粒子サイズを、Ｂｅｃｋｍａｎ  Ｃｏｕｌｔｅｒ，Ｃａｌｉｆｏｒｎｉａから市販されるＢｅｃｋｍａｎ  Ｃｏｕｌｔｅｒ  ＬＳ  １３  ３２０レーザ回折粒子サイズ分析器を使用して、レーザ回折粒子サイズ分析により測定した。フラウンホーファー光学モデル、偏光散乱強度差（ＰＩＤＳ）システム、及び音波破砕制御ユニットを備えるユニバーサルリキッドモジュール（ＵＬＭ）を使用した。音波破砕制御ユニット中で、ＨＰＭＣＡＳ分散体を、ＨＰＭＣＡＳ添加（約３０秒）及び粒子サイズ測定（約９０秒）の間の最大１２０秒の間、超音波処理にかけた。
【００７６】
安定性査定
水性ＨＰＭＣＡＳ分散体の安定性を査定するために、上述されるＨＰＭＣＡＳ粒子サイズ測定を約２週間後に繰り返した。粒子サイズの変化の程度は、水性ＨＰＭＣＡＳ分散体の安定性を明確に示した。分散体を視覚的にも調査した。
【００７７】
固形物含有量の決定
水分バランス（Ｍｅｔｔｌｅｒ  Ｔｏｌｅｄｏ  Ａｄｖａｎｃｅｄ  Ｍｏｉｓｔｕｒｅ  Ａｎａｌｙｚｅｒ、Ｍｏｄｅｌ  ＨＢ４３−Ｓ）を使用して、固形物含有量を決定した。器具のセッティングは以下の通りであった：停止基準５（１４０秒で１ｍｇ未満の重量変化）を有する１２０℃の温度設定点（最初の３分間、４０％のオーバーシュート）で急速乾燥プログラムを使用する３ｇの分散体。乾燥して水が取り除かれると、残留固形物含有量（全ての添加剤を含む）を計量した。
【００７８】
実施例１、２、５、９、１０及び比較例Ａ〜Ｅの水性分散体を調製するために使用されたＨＰＭＣＡＳ
２３．７％のメトキシル基（ＤＳメトキシル＝１．９３）、７．１％のヒドロキシプロポキシル基（ＭＳヒドロキシプロポキシル＝０．２４）、９．６％のアセチル基（ＤＳアセチル＝０．５６）、１０．５％のスクシノイル基（ＤＳスクシノイル＝０．２６）、及び０．４３重量％水性ＮａＯＨ中のＨＰＭＣＡＳの２．０重量％溶液として測定される２．９６ｍＰａ・ｓの粘度を有するＨＰＭＣＡＳを使用した。
【００７９】
実施例３、４、６、７、８、１１、１２及び比較例Ｆの水性分散体を調製するために使用されたＨＰＭＣＡＳ
２３．３％のメトキシル基（ＤＳメトキシル＝１．９２）、７．２％のヒドロキシプロポキシル基（ＭＳヒドロキシプロポキシル＝０．２４）、９．８％のアセチル基（ＤＳアセチル＝０．５８）、１０．９％のスクシノイル基（ＤＳスクシノイル＝０．２８）、及び０．４３重量％水性ＮａＯＨ中のＨＰＭＣＡＳの２．０重量％溶液として測定される２．６８ｍＰａ・ｓの粘度を有するＨＰＭＣＡＳを使用した。
【００８０】
実施例１３及び比較例Ｇの水性分散体を調製するために使用されたＨＰＭＣＡＳ
２３．２％のメトキシル基（ＤＳメトキシル＝１．９０）、７．３％のヒドロキシプロポキシル基（ＭＳヒドロキシプロポキシル＝０．２５）、９．３％のアセチル基（ＤＳアセチル＝０．５５）、１１．２％のスクシノイル基（ＤＳスクシノイル＝０．２８）、及び０．４３重量％水性ＮａＯＨ中のＨＰＭＣＡＳの２．０重量％溶液として測定される２．９１ｍＰａｓの粘度を有するＨＰＭＣＡＳを使用した。
【００８１】
実施例１〜６及び比較例Ａ〜Ｅ
水性ＨＰＭＣＡＳ分散体を生成するために、水をまず投入し、Ｎｅｔｚｓｃｈ  ＬＡＢ  ＳＴＡＲメディアミル（１．４ｍｍのイッテルビウム安定化ジルコニア媒体、０．７ｍｍの網目サイズ）を通して再循環させた。粉砕プロセスの間、以下の表１に列挙されるＨＰＭＣＡＳ固形物及び界面活性剤を、３６００回転／分の粉砕速度の粉砕機を通して再循環している水に徐々に投入した。以下の表１に列挙されるような、ＨＰＭＣＡＳに基づく界面活性剤の割合を提供するために、あらかじめ決定された重量比でＨＰＭＣＡＳ及び界面活性剤を添加した。本組成物の総重量に基づいて、２０〜３０％の全固形物の投入が達成するまでＨＰＭＣＡＳ及び界面活性剤の添加を継続した。本組成物の総重量に各々基づいて、ＨＰＭＣＡＳ及び界面活性剤の割合を、測定された固形物含有量及びＨＰＭＣＡＳと界面活性剤との間の供された重量比から計算した。以下の表１に結果を列挙する。全ての固形物の添加後、最終粒子サイズが取得されるまで粉砕を継続した。
【００８２】
類似の手順を使用して、実施例１〜６ならびに比較例Ａ、Ｂ、Ｄ、及びＥを完了した。比較例Ｃにおいて、分散体の粘度が許容され得る圧力システムを超える粉砕機内の圧力を引き起こしたため、分散体は取得されなかった。
【００８３】
比較例Ａにおいて、添加剤、すなわち界面活性剤を使用しなかった。比較例Ｂにおいて、Ｔｗｅｅｎ  ８０の商標で市販される、周知である非イオン性界面活性剤ポリオキシエチレン（２０）ソルビタンモノオレアートを使用した。比較例Ｃ及びＤにおいて、周知である陰イオン界面活性剤であるナトリウムドデシルサルフェート（ＳＤＳ）を使用した。比較例Ｅにおいて、Ｐｌｕｒｏｎｉｃ  Ｌ４４  ＮＦ  ＩＮＨの商標でＢＡＳＦから市販される、エチレンオキシド及びプロピレンオキシドのブロックコポリマーを非イオン性界面活性剤として使用した。以下の表１の結果は、比較例Ａ、Ｂ、及びＥの分散体の粘度が過度に高かったことを例示する。さらに、比較例Ｂの分散体は、非常に大きなＨＰＭＣＡＳ粒子を有した。実施例Ｃにおいて、分散体の粘度が許容され得るシステム圧力を超える粉砕機内の圧力を引き起こしたため、分散体は取得されなかった。実施例Ｄは、許容可能な粘度及び粒子サイズを有する分散体を生成したが、約２週間保管すると集塊する傾向が多少出た。比較例Ａ〜Ｅの分散体は、合理的に簡便な取り扱い及び工程には好適ではなかった。
【００８４】
以下の表１の結果は、脂肪酸の塩を含有した実施例１〜６のＨＰＭＣＡＳ分散体が、微粒子サイズのＨＰＭＣＡＳを有し、室温で良好な流動性を有する２０℃で十分に低い粘度を有したことも例示する。実施例１、４、５、及び６の分散体を視覚的に調査し、それらの平均粒子サイズを約２週間後に測定した。それらは、安定し、すなわち過度の沈降または塊の形成を示さなかった。界面活性剤として脂肪酸のアルカリ金属塩を含む実施例１、４、及び６は、非常に安定し、集塊する傾向はなかった。界面活性剤として０．５重量％未満のカリウムステアレートを含む実施例５は、約２週間後に多少の集塊作用を示した。
【００８５】
実施例７〜１１ならびに比較例Ｆ及びＧ
Ｄｒａｉｓ  ＤＣＰ−１２  Ａｄｖａｎｔｉｓメディアミル（１．０ｍｍのイッテルビウム安定化ジルコニア媒体、０．５ｍｍの網目サイズ）を使用したことを除いて、実施例１を繰り返した。粉砕速度を最初に１６００ｒｐｍに設定し、次に粉砕機の排気温度を制御するために、必要に応じて約１３００ｒｐｍに低減した。以下の表１に示されるように、ナトリウムステアレートの量及び最終固形物含有量を変化させた。比較例Ｆ及びＧを、界面活性剤無しに生成した。
【００８６】
以下の表１の結果は、脂肪酸の塩を含有した実施例７〜１１のＨＰＭＣＡＳ分散体が、同等の方式だが脂肪酸の塩の不在下で生成された比較例Ｆ及びＧの分散体より相当に低い粘度を有したことを再度例示した。さらに、実施例８〜１１は、本発明により、非常に高い固形物含有量及び非常に高いＨＰＭＣＡＳ含有量を有するが、２０℃で低粘度を尚も有する分散体を生成し得ることを例示する。
【００８７】
比較例Ｆ及びＧならびに実施例８〜１１の分散体を視覚的に調査し、それらの平均粒子サイズを約２週間後に測定した。比較例Ｆ及びＧの分散体は、約２週間保管すると集塊作用を示した。それらと対照的に、実施例８〜１１の分散体は、界面活性剤としてナトリウムステアレートが用いられた全範囲で、約２週間の保管において集塊作用を一切示さなかった。
【００８８】
実施例１２
Ｄｒａｉｓ  ＤＣＰ−１２  Ａｄｖａｎｔｉｓメディアミル（１．０ｍｍのイッテルビウム安定化ジルコニア媒体、０．５ｍｍの網目サイズ）を使用したことを除いて、実施例１を繰り返した。粉砕速度を最初に１６００ｒｐｍに設定し、次に粉砕機の排気温度を制御するために、必要に応じて約１４００ｒｐｍに低減した。加えて、４８．０〜４９．５重量％のエチル基を含み、ウベローデ粘度計で、２５℃で８０％のトルエン及び２０のエタノール中の５％溶液として測定される、１８〜２２ｍＰａ・ｓの粘度を有したエチルセルロースを、磨砕している間に添加した。エチルセルロースは、Ｅｔｈｏｃｅｌ  Ｓｔｄ．  ２０として、Ｔｈｅ  Ｄｏｗ  Ｃｈｅｍｉｃａｌ  Ｃｏｍｐａｎｙから市販される。それを膜形成助剤として使用した。得られた分散体は、分散体の総重量に基づいて、１９．１パーセント及び６．４パーセントのエチルセルロースを含んだ。
【００８９】
以下の表１の結果は、分散体がエチルセルロースなどの膜形成助剤をさらに含むとき、微粒子サイズかつ２０℃で十分に低い粘度のＨＰＭＣＡＳ分散体も達成されることを例示する。
【００９０】
実施例１３
Ｄｒａｉｓ  ＤＣＰ−１２  Ａｄｖａｎｔｉｓメディアミル（１．０ｍｍのイッテルビウム安定化ジルコニア媒体、０．５ｍｍの網目サイズ）を使用したこと、及びアルカリ金属オレエートを界面活性剤として使用したことを除いて、実施例１を繰り返した。粉砕速度を最初に１６００ｒｐｍに設定し、次に粉砕機の排気温度を制御するために、必要に応じて約１４００ｒｐｍに低減した。
【００９１】
【表１−１】
2017517592.tif 000004
【００９２】
【表１−２】
2017517592.tif 000005
【００９３】
図１は、実施例１ならびに比較例Ａ、Ｂ、Ｄ、及びＥのＨＰＭＣＡＳ分散体の粘度を、その温度に応じて例示する。実施例１及び比較例Ｄの新たに調製されたＨＰＭＣＡＳ分散体は、簡便に取り扱われるために２０℃で十分に低い粘度を有したが、基材（例えば錠剤または鋼鉄ピン）の表面に付着するための増加された粘度を有した。しかし、実施例１のＨＰＭＣＡＳ分散体は、約２週間の保管で安定していたが、一方比較例Ｄの分散体は、約２週間保管すると多少の集塊作用を示した。２０℃における、比較例Ａ、Ｂ、及びＥの分散体の取り扱いは、それらのより高い粘度に起因してより困難であった。さらに、比較例Ａ、Ｂ、及びＥの分散体は、約２週間保管すると集塊作用を示した。
【００９４】
実施例１４
実施例１１で調製された分散体を使用して、膜形成を評価した。分散体を室温で保管した。膜を流延するために、分散体を攪拌しながら適度なせん断を適用しながら、分散体を１２〜１６℃に冷却した。ＨＰＭＣＡＳに対して１０％のトリエチルシトラート（ＴＥＣ）を、分散体に液滴で添加した。ＴＥＣの添加は、分散体の相転移温度を低下させた。分散体の得られた固形物含有量は、３３．８％（３０．２％のＨＰＭＣＡＳ、０．６％のナトリウムステアレート、及び３．１％のＴＥＣ）であった。１２〜１６℃で、さらに１５〜３０分間、適度なせん断をしながら攪拌を継続した。次に、４００μｍの間隙を有する流延装置を使用して、鋼板上で膜を室温で流延した。自立膜を室温で形成した。湿潤膜は、４００マイクロメートルの厚みを有し、４０℃で乾燥させると、得られたのは約１００マイクロメートルの膜厚及び２．６％の残留水分含有量であった。図２は、流延膜の写真を表す。
【００９５】
実施例１５
界面活性剤として２重量％のナトリウムステアレートを含む分散体を、実施例１０に記載されるように調製した。分散体を室温で保管した。膜を流延するために、２００ｒｐｍで５分間分散体を攪拌しながら、分散体を１０〜１５℃に冷却した。ＨＰＭＣＡＳの重量に基づいて、８．３％のトリエチルシトラート（ＴＥＣ）、８．３％のジブチルセバケート（ＤＢＳ）、及び１．１％のポロキサマー（可塑剤組成物）の混合物を、分散体に液滴で添加した。ポロキサマーは、構造ＰＥＯ５−ＰＰＯ６８−ＰＥＯ５のポリ（エチレンオキシド）（ＰＥＯ）−ポリ（プロピレンオキシド）（ＰＰＯ）−ポリ（エチレンオキシド）（ＰＥＯ）トリブロックコポリマーであり、ＢＡＳＦ  Ｃｏｒｐｏｒａｔｉｏｎから市販されるＰｌｕｒｏｎｉｃ  Ｌ１２１であった。分散体の得られた固形物含有量は、３３．３％（２７．８％のＨＰＭＣＡＳ、０．６％のナトリウムステアレート、２．３％のＴＥＣ、２．３％のＤＢＳ、及び０．３％のＰｌｕｒｏｎｉｃ  Ｌ１２１）であった。１０〜１５℃で約１５〜３０分間、及び１２〜１８℃でさらに約１５分間、適度なせん断をしながら攪拌を継続した。次に、３８０μｍの間隙を有する流延装置を使用して、こびりつき防止板上で膜を流延した。湿潤膜は、３８０マイクロメートルの厚みを有した。約７５℃で乾燥させると、約１２５マイクロメートルの膜厚が得られた。滑らかな表面を有する自立膜が形成された。図３は、流延膜の写真を表す。
【図１】
2017517592.tif 000006
【図２】
2017517592.tif 000007
【図３】
2017517592.tif 000008
【手続補正書】
【提出日】平成28年4月21日(2016.4.21)
【手続補正１】
【補正対象書類名】明細書
【補正対象項目名】００１５
【補正方法】変更
【補正の内容】
【００１５】
【図１】本発明の水性組成物及び比較水性組成物の粘度を、それらの温度に応じて例示する。
【図２】本発明の水性組成物から流延された膜の写真の表示である。
【図３】本発明の水性組成物から流延された別の膜の写真の表示である。
【手続補正２】
【補正対象書類名】明細書
【補正対象項目名】００１６
【補正方法】変更
【補正の内容】
【００１６】
驚くべきことに、水性組成物が少なくとも１５重量％のエステル化セルロースエーテル、またはさらに少なくとも２０重量％のエステル化セルロースエーテル、または最適化された条件下でさらに少なくとも２５重量％のエステル化セルロースエーテルを含むときでさえ、以下に記載されるような新規の水性組成物は、水性組成物の良好な流動性を可能にするために、２０℃で十分に低い粘度を有することが分かった。
【手続補正３】
【補正対象書類名】明細書
【補正対象項目名】００１７
【補正方法】変更
【補正の内容】
【００１７】
驚くべきことに、以下に記載されるような微粒子サイズの分散されたエステル化セルロースエーテル（複数可）を含む新規の水性組成物は、３０℃超、またはさらに３５℃超、及び概して最大約４５℃の温度においてでさえ調製され得ることが分かった。分散されたエステル化セルロースエーテル（複数可）は、新規の水性組成物の調製中、過度の粘着質または集塊作用を示さない。３０℃を超える温度での低減された粘着質及び集塊作用は、高せん断を必要とする多くの工程段階、例えば新規の水性組成物が水の存在下でエステル化セルロースエーテル粒子を磨砕することにより生成される、それらの生成方法の実施形態において重要である。磨砕するプロセスの間、熱が発生する。非常に粘着質であるエステル化セルロースエーテルは、粉砕装置の詰まり及び動作不能を引き起こし得る。
【手続補正４】
【補正対象書類名】明細書
【補正対象項目名】００１８
【補正方法】変更
【補正の内容】
【００１８】
本発明の組成物中に含まれるエステル化セルロースエーテルは、本発明の文脈中、無水グルコース単位として表される、β−１，４グリコシド結合Ｄ−グルコピラノース繰り返し単位を有するセルロース主鎖を有する。エステル化セルロースエーテルは好ましくは、エステル化アルキルセルロース、ヒドロキシアルキルセルロース、またはヒドロキシアルキルアルキルセルロースである。これは、本発明の組成物中に含まれるエステル化セルロースエーテル中、無水グルコース単位のヒドロキシル基の少なくとも一部が、アルコキシル基、またはヒドロキシアルコキシル基、またはアルコキシル基とヒドロキシアルコキシル基との組み合わせにより置換されることを意味する。ヒドロキシアルコキシル基は典型的に、ヒドロキシメトキシル、ヒドロキシエトキシル、及び／またはヒドロキシプロポキシル基である。ヒドロキシエトキシル及び／またはヒドロキシプロポキシル基が、好ましい。典型的に、１種類または２種類のヒドロキシアルコキシル基がエステル化セルロースエーテル中に存在する。好ましくは、単一の種類のヒドロキシアルコキシル基、より好ましくはヒドロキシプロポキシルが存在する。アルコキシル基は典型的に、メトキシル、エトキシル、及び／またはプロポキシル基である。メトキシル基が、好ましい。上記で定義されたエステル化セルロースエーテルの実例となるものは、エステル化メチルセルロース、エチルセルロース、及びプロピルセルロースなどのエステル化アルキルセルロース；エステル化ヒドロキシエチルセルロース、ヒドロキシプロピルセルロース、及びヒドロキシブチルセルロースなどのエステル化ヒドロキシアルキルセルロース；ならびにエステル化ヒドロキシエチルメチルセルロース、ヒドロキシメチルエチルセルロース、エチルヒドロキシエチルセルロース、ヒドロキシプロピルメチルセルロース、ヒドロキシプロピルエチルセルロース、ヒドロキシブチルメチルセルロース、及びヒドロキシブチルエチルセルロースなどのエステル化ヒドロキシアルキルアルキルセルロース；ならびにエステル化ヒドロキシエチルヒドロキシプロピルメチルセルロースなどの２つ以上のヒドロキシアルキル基を有するものである。最も好ましくは、エステル化セルロースエーテルが、エステル化ヒドロキシプロピルメチルセルロースなどのエステル化ヒドロキシアルキルメチルセルロースである。
【手続補正５】
【補正対象書類名】明細書
【補正対象項目名】００８５
【補正方法】変更
【補正の内容】
【００８５】
実施例７〜１１ならびに比較例Ｆ及びＧ
Ｄｒａｉｓ  ＤＣＰ−１２  Ａｄｖａｎｔｉｓメディアミル（１．０ｍｍのイッテルビウム安定化ジルコニア媒体、０．５ｍｍの網目サイズ）を使用したことを除いて、実施例１を繰り返した。粉砕速度を最初に１６００ｒｐｍに設定し、次に粉砕機の排気温度を制御するために、必要に応じて約１３００ｒｐｍに低減した。以下の表１に示されるように、ナトリウムステアレートの量及び最終固形物含有量を変化させた。比較例Ｆ及びＧを、界面活性剤無しに生成した。
【手続補正６】
【補正対象書類名】明細書
【補正対象項目名】００８６
【補正方法】変更
【補正の内容】
【００８６】
以下の表１の結果は、脂肪酸の塩を含有した実施例７〜１１のＨＰＭＣＡＳ分散体が、同等の方式だが脂肪酸の塩の不在下で生成された比較例Ｆ及びＧの分散体より相当に低い粘度を有したことを再度例示した。さらに、実施例８〜１１は、本発明により、非常に高い固形物含有量及び非常に高いＨＰＭＣＡＳ含有量を有するが、２０℃で低粘度を尚も有する分散体を生成し得ることを例示する。
【手続補正７】
【補正対象書類名】明細書
【補正対象項目名】００８７
【補正方法】変更
【補正の内容】
【００８７】
比較例Ｆ及びＧならびに実施例８〜１１の分散体を視覚的に調査し、それらの平均粒子サイズを約２週間後に測定した。比較例Ｆ及びＧの分散体は、約２週間保管すると集塊作用を示した。それらと対照的に、実施例８〜１１の分散体は、界面活性剤としてナトリウムステアレートが用いられた全範囲で、約２週間の保管において集塊作用を一切示さなかった。
【手続補正８】
【補正対象書類名】明細書
【補正対象項目名】００８８
【補正方法】変更
【補正の内容】
【００８８】
実施例１２
Ｄｒａｉｓ  ＤＣＰ−１２  Ａｄｖａｎｔｉｓメディアミル（１．０ｍｍのイッテルビウム安定化ジルコニア媒体、０．５ｍｍの網目サイズ）を使用したことを除いて、実施例１を繰り返した。粉砕速度を最初に１６００ｒｐｍに設定し、次に粉砕機の排気温度を制御するために、必要に応じて約１４００ｒｐｍに低減した。加えて、４８．０〜４９．５重量％のエチル基を含み、ウベローデ粘度計で、２５℃で８０％のトルエン及び２０のエタノール中の５％溶液として測定される、１８〜２２ｍＰａ・ｓの粘度を有したエチルセルロースを、磨砕している間に添加した。エチルセルロースは、Ｅｔｈｏｃｅｌ  Ｓｔｄ．  ２０として、Ｔｈｅ  Ｄｏｗ  Ｃｈｅｍｉｃａｌ  Ｃｏｍｐａｎｙから市販される。それを膜形成助剤として使用した。得られた分散体は、分散体の総重量に基づいて、１９．１パーセントのＨＰＭＣＡＳ及び６．４パーセントのエチルセルロースを含んだ。
【手続補正９】
【補正対象書類名】明細書
【補正対象項目名】００８９
【補正方法】変更
【補正の内容】
【００８９】
以下の表１の結果は、分散体がエチルセルロースなどの膜形成助剤をさらに含むとき、微粒子サイズかつ２０℃で十分に低い粘度のＨＰＭＣＡＳ分散体も達成されることを例示する。
【手続補正１０】
【補正対象書類名】明細書
【補正対象項目名】００９２
【補正方法】変更
【補正の内容】
【００９２】
【表１−２】
2017517592.tif 000009
【手続補正１１】
【補正対象書類名】特許請求の範囲
【補正対象項目名】全文
【補正方法】変更
【補正の内容】
【特許請求の範囲】
【請求項１】
ａ）（ｉ）式−Ｃ（Ｏ）−Ｒ−ＣＯＯＡの基または（ｉｉ）一価の脂肪族アシル基と式−Ｃ（Ｏ）−Ｒ−ＣＯＯＡの基との組み合わせを含み、式中、Ｒが、二価の脂肪族または芳香族炭化水素基であり、Ａが、水素または陽イオンである、少なくとも１つの分散されたエステル化セルロースエーテルと、
ｂ）前記分散されたエステル化セルロースエーテルの重量に基づいて、０．０５〜２０パーセントの脂肪酸の少なくとも１つの塩と、を含む、水性組成物であって、
前記分散されたエステル化セルロースエーテル粒子の中央粒子サイズｄ５０が、最大５マイクロメートルであり、かかる中央粒子サイズ（ｄ５０）が、前記粒子の５０質量パーセントがより小さな等価直径を有し、５０質量パーセントがより大きな等価直径を有するサイズである、水性組成物。
【請求項２】
前記分散されたエステル化セルロースエーテルの重量に基づいて、０．５〜１０パーセントの飽和または不飽和脂肪酸のアンモニウム塩、アルカリ金属塩、またはアルカリ土類金属塩を含む、請求項１に記載の水性組成物。
【請求項３】
前記脂肪酸の塩が、ステアリン酸またはオレイン酸のアンモニウム塩、アルカリ金属塩、またはアルカリ土類金属塩である、請求項１または請求項２に記載の水性組成物。
【請求項４】
前記水性組成物の総重量に基づいて、少なくとも１５重量パーセントの前記少なくとも１つの分散されたエステル化セルロースエーテルを含む、請求項１〜３のいずれか一項に記載の水性組成物。
【請求項５】
ｉ）クエン酸エステル、ｉｉ）ジカルボン酸のエステル、ならびにｉｉｉ）アセトグリセリドまたはポリ（エチレンオキシド）及びポリ（プロピレンオキシド）のブロックを含むブロックコポリマーから選択される２つまたは３つの可塑剤を含むが、２つまたは３つの可塑剤が異なる群ｉ）〜ｉｉｉ）から選択されることを条件とする、請求項１〜４のいずれか一項に記載の水性組成物。
【請求項６】
前記エステル化セルロースエーテル中の前記一価の脂肪族アシル基が、アセチル基、プロピオニル基、またはブチリル基であり、前記式−Ｃ（Ｏ）−Ｒ−ＣＯＯＡの前記基が、
−Ｃ（Ｏ）−ＣＨ２−ＣＨ２−ＣＯＯＡ、−Ｃ（Ｏ）−ＣＨ＝ＣＨ−ＣＯＯＡ、または−Ｃ（Ｏ）−Ｃ６Ｈ４−ＣＯＯＡ基である、請求項１〜５のいずれか一項に記載の水性組成物。
【請求項７】
前記エステル化セルロースエーテルが、ヒドロキシプロピルメチルセルロースアセテートサクシネートである、請求項１〜６のいずれか一項に記載の水性組成物。
【請求項８】
前記中央粒子サイズｄ５０が、最大３マイクロメートルであり、かかる中央粒子サイズ（ｄ５０）が、前記粒子の５０質量パーセントがより小さな等価直径を有し、５０質量パーセントがより大きな等価直径を有するサイズである、請求項１〜７のいずれか一項に記載の水性組成物。
【請求項９】
前記分散されたエステル化セルロースエーテル粒子のｄ９０が、最大１２マイクロメートルであり、ｄ９０が、前記粒子の９０質量パーセントがより小さな等価直径を有し、他の１０質量パーセントがより大きな等価直径を有する直径である、請求項１〜８のいずれか一項に記載の水性組成物。
【請求項１０】
ａ）最大３マイクロメートルの中央粒子サイズｄ５０及び最大９マイクロメートルのｄ９０を有する、前記水性組成物の総重量に基づいて、少なくとも２０重量パーセントの分散されたヒドロキシプロピルメチルセルロースアセテートサクシネート粒子と、
ｂ）前記分散されたエステル化セルロースエーテルの重量に基づいて、１．０〜５．０パーセントのステアリン酸またはオレイン酸のアルカリ金属塩またはアルカリ土類金属塩と、を含む、請求項１〜９のいずれか一項に記載の水性組成物。
【請求項１１】
（ｉ）前記式−Ｃ（Ｏ）−Ｒ−ＣＯＯＡの基または（ｉｉ）一価の脂肪族アシル基と前記式−Ｃ（Ｏ）−Ｒ−ＣＯＯＡの基との組み合わせを含み、式中、Ｒが、二価の脂肪族または芳香族炭化水素基であり、Ａが、水素または陽イオンである、少なくとも１つのエステル化セルロースエーテルを、水性希釈剤の存在下で磨砕するステップと、
前記エステル化セルロースエーテルを磨砕する前、磨砕している間、または磨砕した後に、０．０５〜２０パーセントの脂肪酸の少なくとも１つの塩及び任意に１つ以上の補助剤を、前記エステル化セルロースエーテルと配合するステップであって、前記脂肪酸塩の割合が、前記エステル化セルロースエーテルの重量に基づく、配合するステップと、を含む、請求項１〜１０のいずれか一項に記載の水性組成物を生成するための方法。
【請求項１２】
（ｉ）前記式−Ｃ（Ｏ）−Ｒ−ＣＯＯＡの基または（ｉｉ）一価の脂肪族アシル基と前記式−Ｃ（Ｏ）−Ｒ−ＣＯＯＡの基との組み合わせを含み、式中、Ｒが、二価の脂肪族または芳香族炭化水素基であり、Ａが、水素または陽イオンである、ａ）エステル化セルロースエーテルを溶融するステップと、
ｂ）水性希釈剤中で前記溶融されたエステル化セルロースエーテルを乳化するステップと、
前記水性希釈剤中で前記溶融されたエステル化セルロースエーテルを乳化する前記ステップの前、ステップの間、またはステップの後に、前記分散されたエステル化セルロースエーテルの重量に基づいて、ｃ）０．０５〜２０パーセントの脂肪酸の塩、及び任意にｄ）１つ以上の補助剤を添加するステップと、
前記乳剤を冷却して、水性分散体を形成するステップと、を含む、請求項１〜１０のいずれか一項に記載の水性組成物を生成するための方法。
【請求項１３】
請求項１〜１０のいずれか一項に記載の水性組成物から調製されたコーティングでコーティングされている、剤形。
【請求項１４】
請求項１〜１０のいずれか一項に記載の水性組成物から作製された、カプセル殻。
【請求項１５】
請求項１〜１０のいずれか一項に記載の水性組成物を提供するステップと、
成型ピンを前記水性組成物より高い温度に予熱するステップと、
前記予熱された成型ピンを前記水性組成物中に浸漬するステップと、
前記ピンを前記水性組成物から引き抜くことにより、前記成型ピン上で膜を形成するステップと、
前記膜を前記成型ピン上で乾燥させるステップと、を含む、カプセル殻を生成するための方法。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
ａ）（ｉ）式−Ｃ（Ｏ）−Ｒ−ＣＯＯＡの基または（ｉｉ）一価の脂肪族アシル基と式−Ｃ（Ｏ）−Ｒ−ＣＯＯＡの基との組み合わせを含み、式中、Ｒが、二価の脂肪族または芳香族炭化水素基であり、Ａが、水素または陽イオンである、少なくとも１つの分散されたエステル化セルロースエーテルと、
ｂ）前記分散されたエステル化セルロースエーテルの重量に基づいて、０．０５〜２０パーセントの脂肪酸の少なくとも１つの塩と、を含む、水性組成物であって、
前記分散されたエステル化セルロースエーテル粒子の中央粒子サイズｄ５０が、最大５マイクロメートルであり、かかる中央粒子サイズ（ｄ５０）が、前記粒子の５０質量パーセントがより小さな等価直径を有し、５０質量パーセントがより大きな等価直径を有するサイズである、水性組成物。
【請求項２】
前記分散されたエステル化セルロースエーテルの重量に基づいて、０．５〜１０パーセントの飽和または不飽和脂肪酸のアンモニウム塩、アルカリ金属塩、またはアルカリ土類金属塩を含む、請求項１に記載の水性組成物。
【請求項３】
前記水性組成物の総重量に基づいて、少なくとも１５重量パーセントの前記少なくとも１つの分散されたエステル化セルロースエーテルを含む、請求項１または請求項２に記載の水性組成物。
【請求項４】
前記エステル化セルロースエーテルが、ヒドロキシプロピルメチルセルロースアセテートサクシネートである、請求項１〜３のいずれか一項に記載の水性組成物。
【請求項５】
ａ）最大３マイクロメートルの中央粒子サイズｄ５０及び最大９マイクロメートルのｄ９０を有する、前記水性組成物の総重量に基づいて、少なくとも２０重量パーセントの分散されたヒドロキシプロピルメチルセルロースアセテートサクシネート粒子と、
ｂ）前記分散されたエステル化セルロースエーテルの重量に基づいて、１．０〜５．０パーセントのステアリン酸またはオレイン酸のアルカリ金属塩またはアルカリ土類金属塩と、を含む、請求項１〜４のいずれか一項に記載の水性組成物。
【請求項６】
（ｉ）前記式−Ｃ（Ｏ）−Ｒ−ＣＯＯＡの基または（ｉｉ）一価の脂肪族アシル基と前記式−Ｃ（Ｏ）−Ｒ−ＣＯＯＡの基との組み合わせを含み、式中、Ｒが、二価の脂肪族または芳香族炭化水素基であり、Ａが、水素または陽イオンである、少なくとも１つのエステル化セルロースエーテルを、水性希釈剤の存在下で磨砕するステップと、
前記エステル化セルロースエーテルを磨砕する前、磨砕している間、または磨砕した後に、０．０５〜２０パーセントの脂肪酸の少なくとも１つの塩及び任意に１つ以上の補助剤を、前記エステル化セルロースエーテルと配合するステップであって、前記脂肪酸塩の割合が、前記エステル化セルロースエーテルの重量に基づく、配合するステップと、を含む、請求項１〜５のいずれか一項に記載の水性組成物を生成するための方法。
【請求項７】
（ｉ）前記式−Ｃ（Ｏ）−Ｒ−ＣＯＯＡの基または（ｉｉ）一価の脂肪族アシル基と前記式−Ｃ（Ｏ）−Ｒ−ＣＯＯＡの基との組み合わせを含み、式中、Ｒが、二価の脂肪族または芳香族炭化水素基であり、Ａが、水素または陽イオンである、ａ）エステル化セルロースエーテルを溶融するステップと、
ｂ）水性希釈剤中で前記溶融されたエステル化セルロースエーテルを乳化するステップと、
前記水性希釈剤中で前記溶融されたエステル化セルロースエーテルを乳化する前記ステップの前、ステップの間、またはステップの後に、前記分散されたエステル化セルロースエーテルの重量に基づいて、ｃ）０．０５〜２０パーセントの脂肪酸の塩、及び任意にｄ）１つ以上の補助剤を添加するステップと、
前記乳剤を冷却して、水性分散体を形成するステップと、を含む、請求項１〜５のいずれか一項に記載の水性組成物を生成するための方法。
【請求項８】
請求項１〜５のいずれか一項に記載の水性組成物から調製されたコーティングでコーティングされている、剤形。
【請求項９】
請求項１〜５のいずれか一項に記載の水性組成物から作製された、カプセル殻。
【請求項１０】
請求項１〜５のいずれか一項に記載の水性組成物を提供するステップと、
成型ピンを前記水性組成物より高い温度に予熱するステップと、
前記予熱された成型ピンを前記水性組成物中に浸漬するステップと、
前記ピンを前記水性組成物から引き抜くことにより、前記成型ピン上で膜を形成するステップと、
前記膜を前記成型ピン上で乾燥させるステップと、を含む、カプセル殻を生成するための方法。
【国際調査報告】
2017517592.tif 000010
2017517592.tif 000011
2017517592.tif 000012